(57)【要約】  リングアセンブリ（１００、３００、４００、７００、１３００）を含む宝飾品であって、このリングアセンブリ（１００、３００、４００、７００、１３００）内へのリングの確実な、取り外し可能な、回転可能な組み込みを可能にする宝飾品。いくつかの実施形態においては、リング構造の組み込みを可能にするために、装飾品支持構造（４１２、７１２、７１５、１３１２）が、リングアセンブリの一部分の回転可能な動きを可能にするヒンジを含む。他の実施形態においては、このリングアセンブリに対して、挟み締め留め金（５２０、６２０、８２０、９２０、１０２０、１１２０、１２２０、１３２０）が用いられる。【選択図】図５Ａ
2013514154.tif 000002
【特許請求の範囲】
【請求項１】
開口を規定する内径を有する第１環状要素であって、外径を有する基部を含む環状の周囲溝を含み、前記基部は、幅を有すると共に第１周囲部分と回転可能に取り付けられる第２周囲部分との間に挟み込まれる、第１環状要素と、
内径と、外径と、前記環状の周囲の基部の幅よりも小さい軸方向幅とを有する第２環状要素であって、前記周囲溝によって横方向に保持されると共に、前記第１要素の回りに同軸にかつ前記第１要素と実質的に共面に配備される第２環状要素と、
を含む宝飾品であって、
前記第１環状要素は、さらに、
前記第１要素の第１周囲リムの一部分および前記第１要素の前記第１周囲部分の一部分の少なくとも１つに取り付けられ、かつ、前記第２環状要素の外径を超えてほぼ半径方向に延び出る第１装飾品支持構造要素、および、
取り付けられる第２装飾品支持構造要素に近接する前記第１要素の第２周囲リムの一部分および前記第１要素の前記第２周囲部分の一部分のうち少なくとも１つに取り付けられ、かつ、前記第２環状要素の前記外径を超えてほぼ半径方向に延び出る第２装飾品支持構造要素であって、前記第２環状要素は前記第１装飾品支持構造要素および前記第２装飾品支持構造要素の間に挟み込まれる、第２装飾品支持構造要素、
を備えた装飾品支持構造
を含む、宝飾品。
【請求項２】
請求項１に記載の宝飾品において、前記第１環状要素が、前記第１環状要素および前記第２環状要素を回転可能に結合するヒンジを含む、宝飾品。
【請求項３】
請求項１または２に記載の宝飾品において、前記装飾品支持構造がヒンジを含む、宝飾品。
【請求項４】
請求項２または３に記載の宝飾品において、前記装飾品支持構造が、ヒンジ接合ジョイントを介して連結される上部部分および下部部分を含む、宝飾品。
【請求項５】
請求項１乃至４の何れか一項に記載の宝飾品において、前記第１環状要素がソケット部分を含み、前記第２環状要素が、前記第１環状要素の前記ソケット部分に係合するのに適したフランジ化部分を含む、宝飾品。
【請求項６】
請求項５に記載の宝飾品において、前記第２環状要素が、前記第１環状要素の前記ソケット部分に係合するためにヒンジの回りを回転する、宝飾品。
【請求項７】
請求項５または６に記載の宝飾品において、前記フランジ化部分の前記外径が前記ソケット部分の前記内径より小さい、宝飾品。
【請求項８】
請求項５乃至７の何れか一項に記載の宝飾品において、前記フランジ化部分の延長長さが、前記ソケット部分の深さと同じであるかまたはほぼ同じであり得る、宝飾品。
【請求項９】
請求項１乃至８の何れか一項に記載の宝飾品において、第１環状要素と、回転可能に取り付けられる第２環状要素との間に配備される回転可能な環状要素を有する、宝飾品。
【請求項１０】
請求項８に記載の宝飾品において、前記第１環状要素がソケット部分を含み、前記ソケット部分の回りを回転可能なリングが配備される、宝飾品。
【請求項１１】
請求項１に記載の宝飾品において、前記第１環状要素が、前記第１環状要素および前記第２環状要素を回転可能に結合するヒンジを含み、
前記装飾品支持構造がヒンジを含み、
前記第１環状要素がソケット部分を含み、前記第２環状要素は、前記第１環状要素の前記ソケット部分に係合するのに適したフランジ化部分を含み、
前記フランジ化部分の前記外径は前記ソケット部分の前記内径より小さく、
前記フランジ化部分の延長長さは、前記ソケット部分の深さと同じであるかまたはほぼ同じであり、
場合によっては、回転可能なリングが、前記第１環状要素および前記第２環状要素の間に挟み込まれると共に前記ソケット部分の回りに配備される、
宝飾品。
【請求項１２】
開口を規定する内径を有する第１環状要素であって、外径を有する基部を含む環状の周囲溝を含み、前記基部は、幅を有すると共に第１周囲部分と回転可能に取り付けられる第２周囲部分との間に挟み込まれる、第１環状要素と、
内径と、外径と、前記環状の周囲の基部の幅よりも小さい軸方向幅とを有する第２環状要素であって、前記周囲溝によって横方向に保持されると共に、前記第１要素の回りに同軸にかつ前記第１要素と実質的に共面に配備される第２環状要素と、
を含む宝飾品であって、
前記第１環状要素は、さらに、
前記第１環状要素の第１周囲リムの一部分および前記第１環状要素の前記第１周囲部分の一部分のうち少なくとも１つに取り付けられ、かつ、前記第２環状要素の前記外径を超えてほぼ半径方向に延び出る第１装飾品支持構造要素、および、
前記取り付けられる第２装飾品支持構造要素に近接する前記第１要素の第２周囲リムの一部分および前記第１要素の前記第２周囲部分の一部分のうち少なくとも１つに取り付けられ、かつ、前記第２環状要素の前記外径を超えてほぼ半径方向に延び出る第２装飾品支持構造要素であって、前記第２環状要素は前記第１装飾品支持構造要素および前記第２装飾品支持構造要素の間に挟み込まれる、第２装飾品支持構造要素、
を備えた装飾品支持構造
を含み、
前記装飾品支持構造は、さらに、前記第１環状要素および前記第２環状要素を回転可能に結合するヒンジを含み、
前記第１環状要素はさらにソケット部分を含み、前記第２環状要素は、前記第１環状要素の前記ソケット部分に係合するのに適したフランジ化部分を含み、
前記フランジ化部分の前記外径は前記ソケット部分の前記内径より小さく、
前記フランジ化部分の延長長さは、前記ソケット部分の深さと同じであるかまたはほぼ同じであり、
場合によっては、回転可能なリングが、前記第１環状要素および前記第２環状要素の間に挟み込まれると共に前記ソケット部分の回りに配備される、
宝飾品。
【請求項１３】
ヒンジ接合ジョイントを介して連結される上部部分および下部部分を有する装飾品支持構造を含む、宝飾品。
【請求項１４】
請求項１３に記載の宝飾品において、前記装飾品支持構造が第１リング部分および第２リング部分を連結し、前記第２リング部分が前記ヒンジ接合ジョイントの回りを回転する、宝飾品。
【請求項１５】
請求項１３または１４に記載の宝飾品において、前記第１リング部分がソケット部分を含み、前記第２リング部分が、前記ソケット部分に係合するのに適したフランジ化部分を含む、宝飾品。
【請求項１６】
請求項１３乃至１６の何れか一項に記載の宝飾品回転可能なリングが前記第１リング部分および前記第２リング部分の間に挟み込まれる、宝飾品。
【請求項１７】
請求項１６に記載の宝飾品において、前記第１リング部分がソケット部分を含み、前記回転可能なリングが前記ソケット部分の回りに配備される、宝飾品。
【請求項１８】
請求項１３乃至１７の何れか一項に記載の宝飾品において、前記装飾品支持構造が装飾品を含む、宝飾品。
【請求項１９】
開口を規定する内径を有する第１環状要素であって、外径を有する基部を含む環状の周囲溝を含み、前記基部は、幅を有すると共に第１周囲部分と回転可能に取り付けられる第２周囲部分との間に挟み込まれる、第１環状要素と、
内径と、外径と、前記環状の周囲の基部の幅よりも小さい軸方向幅とを有する第２環状要素であって、前記周囲溝によって横方向に保持されると共に、前記第１要素の回りに同軸にかつ前記第１要素と実質的に共面に配備される第２環状要素と、
を含む宝飾品であって、
前記第１環状要素は、さらに、
前記第１要素の第１周囲リムの一部分および前記第１要素の前記第１周囲部分の一部分のうち少なくとも１つに取り付けられ、かつ、前記第２環状要素の、外径を超えてほぼ半径方向に延び出る第１装飾品支持構造要素、および、取り付けられる第２装飾品支持構造要素に近接する前記第１要素の第２周囲リムの一部分および前記第１要素の前記第２周囲部分の一部分のうち少なくとも１つに取り付けられ、かつ、前記第２環状要素の、外径を超えてほぼ半径方向に延び出る第２装飾品支持構造要素であって、前記第２環状要素は前記第１装飾品支持構造要素および前記第２装飾品支持構造要素の間に挟み込まれる、第２装飾品支持構造要素、
を備えた装飾品支持構造を含み、
さらに、前記環状の周囲の基部は、前記第１周囲部分から前記第２周囲部分に延びる挟み締め留め金を含み、
前記第２周囲部分は、前記挟み締め留め金と一直線上に並ぶピンを含む、
宝飾品。
【請求項２０】
請求項１９に記載の宝飾品において、前記挟み締め留め金が
（ａ）半径方向において前記第１周囲部分から前記第２周囲部分に延びる垂直の挟み締め留め金であり、前記基部の幅とほぼ同じ長さにおいて、前記第１周囲部分および前記環状の周囲部分の外径の間に挟み込まれる挟み締め留め金であって、
前記第２周囲部分は、前記挟み締め留め金と一直線上に並ぶ凹部内部のピンを含む、挟み締め留め金と、
（ｂ）前記第１周囲部分に沿って延びる接線方向の挟み締め留め金であって、前記第２周囲部分は前記挟み締め留め金と一直線上に並ぶピンを含む、挟み締め留め金と、
から選択される、宝飾品。
【請求項２１】
請求項２０に記載の宝飾品において、前記挟み締め留め金が下位区分（ａ）の垂直の挟み締め留め金であり、前記凹部が、前記挟み締め留め金のロックと、ロックされた場合に前記挟み締め留め金の前記周囲部分の外径の基部との同一平面状態とを可能にするアーチ形状の溝である、宝飾品。
【請求項２２】
請求項２０に記載の宝飾品において、前記挟み締め留め金が下位区分（ｂ）の接線方向の挟み締め留め金であり、前記第１周囲部分が、さらに、前記第２の環状の周囲部分上に配置される第２ピンを同心に受け入れるための開口を含む、宝飾品。
【請求項２３】
請求項２２に記載の宝飾品において、前記第２周囲部分が、第１ピンと開口と第２ピンとを有する前記挟み締め留め金ロック機構を介して前記第１周囲部分に回転可能に結合される、宝飾品。
【請求項２４】
請求項１９乃至２３の何れか一項に記載の宝飾品において、前記挟み締め留め金、ピンまたはその両者が一体化されていない、宝飾品。
【請求項２５】
請求項２４に記載の宝飾品において、前記挟み締め留め金が、周囲部分上に、場合によってはアーチ形状の溝の内部に装着される非一体型の湾曲した挟み締め留め金である、宝飾品。
【請求項２６】
請求項１９乃至２１および２４の何れか一項に記載の宝飾品において、前記装飾品支持構造がヒンジを含む、宝飾品。
【請求項２７】
請求項２６に記載の宝飾品において、前記装飾品支持構造が、ヒンジ接合ジョイントを介して連結される上部部分および下部部分を含む、宝飾品。
【請求項２８】
請求項２６または２７に記載の宝飾品において、前記第１環状要素がソケット部分を含み、前記第２環状要素が、前記第１環状要素の前記ソケット部分に係合するのに適したフランジ化部分を含む、宝飾品。
【請求項２９】
請求項２８に記載の宝飾品において、前記第２環状要素が、前記第１環状要素の前記ソケット部分に係合するためにヒンジの回りを回転する、宝飾品。
【請求項３０】
請求項２８または２９に記載の宝飾品において、前記フランジ化部分の前記外径が前記ソケット部分の前記内径より小さい、宝飾品。
【請求項３１】
請求項２８乃至３０の何れか一項に記載の宝飾品において、前記フランジ化部分の延長長さが、前記ソケット部分の深さと同じであるかまたはほぼ同じである、宝飾品。
【請求項３２】
請求項１９乃至３１の何れか一項に記載の宝飾品において、前記第１環状要素と、回転可能に取り付けられる第２環状要素との間に配備される回転可能なリングを有する、宝飾品。
【請求項３３】
請求項３２に記載の宝飾品において、前記第１環状要素がソケット部分を含み、前記回転可能なリングが前記ソケット部分の回りに配備される、宝飾品。
【請求項３４】
一体化された複数個の取り外し可能な挟み締め留め金のブランクを有する構造。
【請求項３５】
請求項３４に記載の構造において、前記取り外し可能な挟み締め留め金のブランクが垂直の挟み締め留め金のためのものである、構造。
【請求項３６】
請求項３４に記載の構造において、前記取り外し可能な挟み締め留め金のブランクが、接線方向の湾曲した挟み締め留め金のブランクである、構造。
【請求項３７】
開口を規定する内径と、第１周囲部分と、第２周囲部分とを有する環状要素
を含む宝飾品であって、
前記第１周囲部分は、外径を有する基部を含む環状の周囲溝を含み、前記基部は、幅を有すると共に前記第１周囲部分と第２周囲部分との間に挟み込まれ、
前記第２周囲部分は、内径と、外径と、前記環状の周囲の基部の幅よりも小さい軸方向幅とを含み、かつ、前記第２周囲部分は、前記周囲溝によって横方向に保持されると共に、前記第１周囲部分の回りに同軸にかつ前記第１周囲部分と実質的に共面に配備され、
さらに、前記第１および第２周囲部分が挟み締め留め金およびピンを含み、
前記環状の周囲溝の基部が、前記第１周囲部分および前記環状の周囲溝の外径の間に挟み込まれる挟み締め留め金を含み、
前記第２周囲部分が前記挟み締め留め金と一直線上に並ぶ凹部内部のピンを含む、宝飾品。
【請求項３８】
請求項３７に記載の宝飾品において、前記挟み締め留め金が
半径方向において前記第１周囲部分から前記第２周囲部分に延びる垂直の挟み締め留め金であり、前記基部の幅とほぼ同じ長さにおいて、前記第１周囲部分および前記環状の周囲部分の外径の間に挟み込まれる挟み締め留め金であって、
前記第２周囲部分は、前記挟み締め留め金と一直線上に並ぶ凹部内部のピンを含む、挟み締め留め金と、
前記第１周囲部分に沿って延びる接線方向の挟み締め留め金であって、前記第２周囲部分は前記挟み締め留め金と一直線上に並ぶピンを含む、挟み締め留め金と、
から選択される、宝飾品。
【請求項３９】
請求項３８に記載の宝飾品において、前記挟み締め留め金が下位区分（ａ）の垂直の挟み締め留め金であり、前記凹部が、前記挟み締め留め金のロックと、ロックされた場合に前記挟み締め留め金の前記周囲部分の外径の基部との同一平面状態とを可能にするアーチ形状の溝である、宝飾品。
【請求項４０】
請求項３９に記載の宝飾品において、前記挟み締め留め金が下位区分（ｂ）の接線方向の挟み締め留め金であり、前記第１周囲部分が、さらに、前記第２の環状の周囲部分上に配置される第２ピンを同心に受け入れるための開口を含む、宝飾品。
【請求項４１】
請求項３８に記載の宝飾品において、前記第２周囲部分が、第１ピンと開口と第２ピンとを有する前記挟み締め留め金ロック機構を介して前記第１周囲部分に回転可能に結合される、宝飾品。
【請求項４２】
請求項３８乃至４１の何れか一項に記載の宝飾品において、前記挟み締め留め金、ピンまたはその両者が一体化されていない、宝飾品。
【請求項４３】
請求項４２に記載の宝飾品において、前記挟み締め留め金が、周囲部分上に、場合によってはアーチ形状の溝の内部に装着される非一体型の湾曲した挟み締め留め金である、宝飾品。
【請求項４４】
請求項３８乃至４３の何れか一項に記載の宝飾品において、前記第１周囲部分がソケット部分を含み、前記第２周囲部分が、前記第１周囲部分の前記ソケット部分に係合するのに適したフランジ化部分を含む、宝飾品。
【請求項４５】
請求項３８乃至４４の何れか一項に記載の宝飾品において、前記第１の環状の周囲要素および前記第２周囲要素の間に配備される回転可能なリングを有する、宝飾品。
【請求項４６】
請求項４５に記載の宝飾品において、前記回転可能なリングが、場合によって装飾品を支持する装飾品支持構造を有する、宝飾品。
【発明の詳細な説明】
【技術分野】
【０００１】
関連出願の相互参照
本願は、２００９年１２月１８日に出願された米国仮特許出願第６１／２８８，１６２号、２０１０年５月１７日に出願された米国仮特許出願第６１／３４５，４８４号に対する優先権と、この仮特許出願の利益とを主張するものである。この仮特許出願は、米国仮特許出願第６１／２８８，１６２号の付属書を含めてその全体が、参照によって、すべての目的に関して本願に組み込まれる。
【０００２】
実施形態は宝石リングアセンブリに関し、特に、回転可能リングを保持するリングアセンブリ要素による装飾品の装着に関する。
【背景技術】
【０００３】
Ｏｆｉｅｓｈ，ＩＩに付与された米国特許第６，４９７，１１７号明細書は、回転可能リングを保持する環状の溝を有するベースリングを開示している。Ｗｉｒｉａｔｈらに付与された米国特許第５，１６１，３９２号は、外側の回転バンドを有する円形の宝石品を開示している。Ｎａｇａｎｏに付与された米国特許第６，１０１，８４３号は、装飾品および磁石を有する外側リングであって、磁石を有する内側リングに回転可能に係合する外側リングを開示している。Ｐａｓｑｕｅｔｔｉに付与された米国特許第５，６７８，４２８号は、環状の宝石品、特に外側の回転クラウンを有するリングまたはブレスレットを開示している。
【発明の概要】
【０００４】
典型的な実施形態は次のような宝飾品を含むことができる。すなわち、（ａ）開口を規定する内径を有する第１環状要素であって、外径を有する基部を含む環状の周囲溝を含み、その基部は、幅を有すると共に第１周囲部分と例えばヒンジジョイントを介して回転可能に取り付けられる第２周囲部分との間に挟み込まれる、第１環状要素と、（ｂ）内径と、外径と、前記環状の周囲の基部の幅よりも小さい軸方向幅とを有する第２環状要素、例えば挿入可能な環状要素であって、周囲溝によって横方向に保持されると共に、第１要素の回りに同軸にかつ第１要素と実質的に共面に配備される第２環状要素と、を含む宝飾品である。（ｃ）第１環状要素は、さらに、（１）第１要素の第１周囲リムの一部分および第１要素の第１周囲部分の一部分のうち少なくとも１つに取り付けられ、かつ、第２環状要素の外径を超えてほぼ半径方向に延び出る第１装飾品支持構造要素と、（２）取り付けられる第２装飾品支持構造要素に近接する第１要素の第２周囲リムの一部分および第１要素の第２周囲部分の一部分のうち少なくとも１つに取り付けられ、かつ、第２環状要素の外径を超えてほぼ半径方向に延び出る第２装飾品支持構造要素であって、その第２環状要素は第１装飾品支持構造要素および第２装飾品支持構造要素の間に挟み込まれる、第２装飾品支持構造要素と、を備えた装飾品支持構造を含む。
【０００５】
追加の典型的な実施形態は次のような宝飾品を含むことができる。すなわち、開口を規定する内径を有する第１環状要素を備えた装飾品構造を有するヒンジであって、その第１環状要素は、外径を有する基部を含む環状の周囲溝を含み、その基部は、幅を有すると共に第１周囲部分と回転可能に取り付けられる第２周囲部分との間に挟み込まれる、ヒンジと、内径および外径並びに環状の周囲の基部の幅よりも小さい軸方向幅を有する第２環状要素であって、周囲溝によって横方向に保持されると共に、第１要素の回りに同軸にかつ第１要素と実質的に共面に配備される第２環状要素と、を含む宝飾品である。第１環状要素は、さらに、第１要素の第１周囲リムの一部分および第１要素の第１周囲部分の一部分のうち少なくとも１つに取り付けられ、かつ、第２環状要素の外径を超えてほぼ半径方向に延び出る第１装飾品支持構造要素と、取り付けられる第２装飾品支持構造要素に近接する第１要素の第２周囲リムの一部分および第１要素の第２周囲部分の一部分のうち少なくとも１つに取り付けられ、かつ、第２環状要素の外径を超えてほぼ半径方向に延び出る第２装飾品支持構造要素であって、その第２環状要素は第１装飾品支持構造要素および第２装飾品支持構造要素の間に挟み込まれる、第２装飾品支持構造要素と、を備えた装飾品支持構造を含む。
【０００６】
典型的な実施形態は、次のような宝飾品を含むことができる。すなわち、開口を規定する内径を有する第１環状要素を備えた、装飾品構造および垂直の留め金を有するヒンジであって、その第１環状要素は、外径を有する基部を含む環状の周囲溝を含み、その基部は、幅を有すると共に第１周囲部分と回転可能に取り付けられる第２周囲部分との間に挟み込まれる、ヒンジと、内径および外径並びに前記環状の周囲の基部の幅よりも小さい軸方向幅を有する第２環状要素であって、周囲溝によって横方向に保持されると共に、第１要素の回りに同軸にかつ第１要素と実質的に共面に配備される第２環状要素と、を含む宝飾品である。第１環状要素は、さらに、第１要素の第１周囲リムの一部分および第１要素の第１周囲部分の一部分のうち少なくとも１つに取り付けられ、かつ、第２環状要素の外径を超えてほぼ半径方向に延び出る第１装飾品支持構造要素と、取り付けられる第２装飾品支持構造要素に近接する第１要素の第２周囲リムの一部分および第１要素の第２周囲部分の一部分のうち少なくとも１つに取り付けられ、かつ、第２環状要素の外径を超えてほぼ半径方向に延び出る第２装飾品支持構造要素であって、その第２環状要素は第１装飾品支持構造要素および第２装飾品支持構造要素の間に挟み込まれる、第２装飾品支持構造要素と、を備えた装飾品支持構造を含む。さらに、前記環状の周囲の基部は、半径方向において第１周囲部分から第２周囲部分に延びる垂直の挟み締め留め金であって、その基部の幅とほぼ同じ長さにおいて、第１周囲部分および環状の周囲溝の外径の間に挟み込まれる挟み締め留め金を含み、さらに、第２周囲部分は、その挟み締め留め金と一直線上に並ぶ凹部内部のピンを含む。
【０００７】
ヒンジを含まず、装飾品を含まず、開口を規定する内径と第１周囲部分と第２周囲部分とを有する環状要素を備えた接線方向の留め金を含む宝飾品。この場合、第１周囲部分は、外径を有する基部を含む環状の周囲溝を含み、その基部は、幅を有すると共に第１周囲部分と第２周囲部分との間に挟み込まれ、第２周囲部分は、内径と、外径と、環状の周囲の基部の幅よりも小さい軸方向幅とを含み、この第２周囲部分は、さらに、周囲溝によって横方向に保持されると共に、第１周囲部分の回りに同軸にかつ第１周囲部分と実質的に共面に配備され、さらにまた、第１および第２周囲部分は挟み締め留め金およびピンを含み、さらに、前記環状の周囲溝の基部は、半径方向において第１周囲部分から第２周囲部分に延びる垂直の挟み締め留め金であって、その基部の幅とほぼ同じ長さにおいて、第１周囲部分および環状の周囲溝の外径の間に挟み込まれる挟み締め留め金を含み、さらに、第２周囲部分は、その挟み締め留め金と一直線上に並ぶ凹部内部のピンを含む。
【０００８】
本発明の実施形態が、添付の図面に、制限するものとしてではなく例として表現されている。
【図面の簡単な説明】
【０００９】
【図１Ａ】図１Ａは、典型的な実施形態の分解側面図である。
【図１Ｂ】図１Ｂは、典型的な実施形態の側面図である。
【図２Ａ】図２Ａは、典型的な実施形態の斜視図である。
【図２Ｂ】図２Ｂは、図２Ａの典型的な実施形態の分解斜視図である。
【図３Ａ】図３Ａは、典型的な実施形態の側面図である。
【図３Ｂ】図３Ｂは、典型的な実施形態の分解斜視図である。
【図３Ｃ】図３Ｃは、典型的な実施形態の正面図である。
【図３Ｄ】図３Ｄは、典型的な実施形態の典型的なヒンジ線を示す。
【図４Ａ】図４Ａは、環状要素アセンブリの典型的な実施形態の閉状態の斜視図である。
【図４Ｂ】図４Ｂは、環状要素アセンブリの典型的な実施形態の正面図である。
【図４Ｃ】図４Ｃは、環状要素アセンブリの典型的な実施形態の背面図である。
【図４Ｄ】図４Ｄは、環状要素アセンブリの典型的な実施形態の側面図である。
【図４Ｅ】図４Ｅは、環状要素アセンブリの典型的な実施形態の上面図である。
【図５Ａ】図５Ａは、環状要素アセンブリの典型的な実施形態の開状態の分解側面図である。
【図５Ｂ】図５Ｂは、バンドなしで留め金上のピンを含む環状要素アセンブリの典型的な実施形態の開状態の斜視図である。
【図６Ａ】図６Ａは、環状要素アセンブリの挟み締め留め金の拡大図である。
【図６Ｂ】図６Ｂは、環状要素アセンブリの典型的な実施形態のピンおよび凹部の拡大図である。
【図６Ｃ】図６Ｃは、環状要素アセンブリの典型的な実施形態の、ピンおよび留め金が外された状態の立断面図である。
【図６Ｄ】図６Ｄは、環状要素アセンブリの典型的な実施形態の、ピンおよび留め金が係合された状態のピンおよび凹部を示す立断面図である。
【図７Ａ】図７Ａは、環状要素アセンブリの第２の典型的な実施形態の閉状態の斜視図である。
【図７Ｂ】図７Ｂは、環状要素アセンブリの第２の典型的な実施形態の正面図である。
【図７Ｃ】図７Ｃは、環状要素アセンブリの第２の典型的な実施形態の背面図である。
【図７Ｄ】図７Ｄは、環状要素アセンブリの第２の典型的な実施形態の側面図である。
【図７Ｅ】図７Ｅは、環状要素アセンブリの第２の典型的な実施形態の上面図である。
【図８Ａ】図８Ａは、環状要素アセンブリの第２の典型的な実施形態の開状態の分解側面図である。
【図８Ｂ】図８Ｂは、環状要素アセンブリの第２の典型的な実施形態のバンドなしの開状態の斜視図である。
【図９Ａ】図９Ａは、環状要素アセンブリの第２の典型的な実施形態の挟み締め留め金を示す。
【図９Ｂ】図９Ｂは、環状要素アセンブリの第２の典型的な実施形態のピンおよび凹部を示す。
【図９Ｃ】図９Ｃは、環状要素アセンブリの第２の典型的な実施形態の、ピンおよび留め金が外された状態の立断面図である。
【図９Ｄ】図９Ｄは、本発明の第２の典型的な実施形態の、ピンおよび留め金が係合された状態のピンおよび凹部を示す立断面図である。
【図１０Ａ】図１０Ａは、環状要素アセンブリの第３実施形態の典型的な挟み締めスロット機構を示す分解斜視図である。
【図１０Ｂ】図１０Ｂは、環状要素アセンブリの第３実施形態の挟み締め留め金が外された開状態の前面側の立面図である。
【図１０Ｃ】図１０Ｃは、環状要素アセンブリの第３実施形態の挟み締め留め金が外された開状態の背面側の立面図である。
【図１０Ｄ】図１０Ｄは、図１０Ｂの第３実施形態の代替方式の挟み締め留め金が外された開状態の前面側の立面図である。
【図１０Ｅ】図１０Ｅは、図１０Ｃの第３実施形態の代替方式の挟み締め留め金が外された開状態の背面側の立面図である。
【図１０Ｆ】図１Ａは、リングアセンブリの第３実施形態のピンおよび留め金が外された閉状態の前面側の立面図である。
【図１０Ｇ】図１０Ｆは、リングアセンブリの第３実施形態のピンおよび留め金が外された閉状態の背面側の立面図である。
【図１０Ｈ】図１０Ｈは、リングアセンブリの第３実施形態のピンおよび留め金が係合された閉状態の前面側の立面図である。
【図１０Ｉ】図１０Ｉは、リングアセンブリの第３実施形態のピンおよび留め金が係合された閉状態の背面側の立面図である。
【図１１Ａ】図１１Ａは、環状要素アセンブリの第３実施形態の典型的な挟み締め具／留め金および反対側の孔機構を示す分解斜視図である。
【図１１Ｂ】図１１Ｂは、環状要素アセンブリの第３実施形態の挟み締め留め金が係合された閉状態の前面側の斜視図である。
【図１１Ｃ】図１１Ｃは、環状要素アセンブリの第３実施形態の、挟み締め具／留め金が係合され、ピンが孔に係合された閉状態の断面図である。
【図１２Ａ】図１２Ａは、環状要素アセンブリの挟み締め留め金の第４実施形態の拡大図である。
【図１２Ｂ】図１２Ｂは、バンド上に装着された典型的な非一体型挟み締め留め金である。
【図１２Ｃ】図１２Ｃは、環状要素アセンブリの第４実施形態の典型的な反対側の孔機構である。
【図１２Ｄ】図１２Ｄは、環状要素アセンブリの第４の典型的な実施形態から取り出して分解された１つの留め金を示す、複数個の挟み締め具／留め金のブランクの斜視図である。
【図１２Ｅ】図１２Ｅは、環状要素アセンブリの第４の典型的な実施形態から取り出して分解された１つの留め金を示す、複数個の挟み締め具／留め金のブランクの斜視図である。
【図１３Ａ】図１３Ａは、環状要素アセンブリの第５の典型的な実施形態の分解側面図である。
【図１３Ｂ】図１３Ｂは、リングアセンブリの第５の典型的な実施形態のバンドなしの閉状態の側面図である。
【図１３Ｃ】図１３Ｃは、リングアセンブリの典型的な第５実施形態の閉状態の側断面図である。
【発明を実施するための形態】
【００１０】
図１Ａは典型的な実施形態１００の分解側面図を示し、図１Ｂは関節接合された典型的な実施形態を側面図で示している。第１ヒンジ接合リング部分１１０は、第１ジョイント部分１２８において、第２ヒンジ接合環状要素部分１１２に第２ジョイント部分１３０においてヒンジ接合されるように構成されるものとして表現されている。第１ヒンジ接合環状要素部分１１０は、ソケット部分１１８を有する内側の環状要素部分１２６を有するように表現されており、そのソケット部分１１８の中に、第２ヒンジ接合環状要素のフランジ化部分１２０を係合させることができる。フランジ化部分１２０をソケット部分１１８の中に係合させるのに先立って、内側の環状部分１２６の外径よりも大きい内径を有する第２環状要素（図示されていない）を、内側のリング部分１２６の回りに配備することができる。フランジ化部分１２０がソケット部分１１８に係合すると、第２環状要素は、第１ヒンジ接合環状要素部分１１０および第２ヒンジ接合環状要素部分１１２両者の隆起した側面によって閉じ込められる。第２ジョイント部分１３０は、第２装飾品支持部材１１６の末端に配備することができる。第１ジョイント部分１２８は、第１支持部材１１４から延びる交差支持部材に配備することができる。図１Ｂは、第１ヒンジ接合環状要素部分１１０と、ヒンジ接合ジョイント部分１３０において回転可能に結合される第２ヒンジ接合環状要素部分１１２とを表現している。フランジ１２０の外径はソケット１１８の内径よりも小さく、フランジの延長部分１２２の長さは、ソケットの深さ１２４と同じであるかまたはほぼ同じである。フランジの延長部分１２２の長さは、フランジ１２０が、ソケット１１８の外側リップを超えることができるが、ソケット１１８の内面との確実な接触を提供し得るように、ヒンジ接合される環状要素アセンブリの幅よりも小さくその寸法を定めることができる。
【００１１】
図２Ａは典型的な実施形態２００の斜視図であり、第１ヒンジ接合環状要素部分２１０と、ヒンジ接合ジョイント２１６において回転可能に結合される第２ヒンジ接合環状要素部分２１２とを表現している。図２Ｂは図２Ａの典型的な実施形態の分解斜視図であり、第１ヒンジ接合環状要素のヒンジ接合ジョイント２１４を示している。
【００１２】
図３Ａは典型的な実施形態３００の側面図であり、固定部分３１４と、上部部分３２８と、ヒンジ接合ジョイント３２９を介して連結される下部部分３１８とを備えた装飾品支持構造を表現している。このヒンジジョイント３２９の回りに、フランジ３２２を有する第２ヒンジ接合環状要素部分３１２が、ソケット３２０と係合するように回転することができる。
【００１３】
図３Ｂは図３Ａの典型的な実施形態３００の分解斜視図であり、取り外し可能な環状要素３２６を示している。第２環状要素、もしくは自由に回転可能な第２環状要素は、第１環状要素３１０と、回転可能に取り付けられる第２周囲部分３１２との間に配備することができる。
【００１４】
図３Ｃは典型的な実施形態３００の正面図であり、図３Ａの典型的な実施形態の典型的なヒンジ線３３０を表している。図３Ｄは典型的なヒンジ線を表現しており、図３Ａの本発明の典型的な実施形態のピン３３４が破線で示されている。
【００１５】
図４Ａは、環状要素アセンブリ４００の典型的な実施形態の閉状態の斜視図である。典型的な環状要素アセンブリ４００は、環状の第１周囲部分４０２と、支持構造４１２と、装飾品、例えば宝石４１４と、第２ヒンジ接合周囲部分４０６と、ヒンジジョイント４０４とを含む。第１周囲部分４０２は支持構造４１２を有するものとして表現されており、第２周囲部分４０６が、ヒンジジョイント４０４を介して支持構造４１２に回転可能に結合される。
【００１６】
図４Ｂはリングアセンブリ４００の典型的な実施形態の正面図である。この実施形態においては、第１周囲部分４０２が、自由に回転可能な第２環状要素４０８と共に示されている。
【００１７】
図４Ｃはリングアセンブリ４００の典型的な実施形態の背面図である。
【００１８】
図４Ｄはリングアセンブリ４００の典型的な実施形態の側面図である。第１周囲部分４０２は、第２ヒンジ接合周囲部分４０６に、第１ジョイント部分４０４においてヒンジ接合されるように構成されるものとして表現されている。第１周囲部分４０２は、周囲溝４１０（図５Ａ参照）の基部の外径よりも大きい内径を有する環状要素４０８を有するものとして表現されている。
【００１９】
図４Ｅは、この例においては装飾品４１４用の（例えば正方形で脚付きの）３次元の支持構造４１２を有する典型的な実施形態の上面図を示す。
【００２０】
図５Ａはリングアセンブリ５００の典型的な実施形態の側面図であり、第１周囲部分５０２と、ヒンジ接合ジョイント５０４において回転可能に結合される第２ヒンジ接合周囲部分５０６とが表現されており、第２環状要素５０８を示している。
【００２１】
図５Ｂは開状態の斜視図であり、第１ヒンジ接合周囲部分５０２と、ヒンジ接合ジョイント５０４（図示されていない）において回転可能に結合される第２ヒンジ接合周囲部分５０６とを表現しており、かつ、領域８として強調される挟み締め留め金５２０と、挟み締め留め金５２０を捕捉するためのアーチ形状の溝５２４の内部のピン５２２とを含んでいる。領域９として強調されるピン５２２は第２周囲溝５１６に取り付けられる。
【００２２】
図６Ａは挟み締め留め金６２０の典型的な実施形態６００の拡大図を示す。
【００２３】
図６Ｂは、ピン６２２と、挟み締め留め金６２０のロックおよび挟み締め留め金６２０の周囲溝６１０の基部との同一平面状態を可能にするアーチ形状の溝６２４との拡大図を示す。
【００２４】
図６Ｃは、ロック位置に係合される前の外された状態のピン６２２および留め金６２０の立断面図を示す。
【００２５】
図６Ｄは、係合状態にあるピン６２２および留め金６２０の立断面図を示す。
【００２６】
図７Ａは、環状要素アセンブリ７００の典型的な実施形態の閉状態の斜視図を示す。典型的な環状要素アセンブリ７００は、環状の第１周囲部分７０２と、支持構造７１２、７１５と、装飾品７１４と、第２ヒンジ接合周囲部分７０６と、ヒンジジョイント７０４とを含む。第１周囲部分７０２は、装飾品７１４を嵌め込むためのカラー７１３を備えた支持構造７１２を有するものとして表現されており、第２ヒンジ接合周囲部分７０６が、ヒンジジョイント７０４を介して支持構造７１２、７１５に回転可能に結合される。
【００２７】
図７Ｂは環状要素アセンブリ７００の典型的な実施形態の正面図である。
【００２８】
図７Ｃは環状要素アセンブリ７００の典型的な実施形態の背面図である。
【００２９】
図７Ｄは環状要素アセンブリ７００の典型的な実施形態の側面図である。第１ヒンジ接合周囲部分７０２は、ジョイント部分７０４において第２ヒンジ接合周囲部分７０６にヒンジ接合されるように構成されるものとして表現されている。第１周囲部分７０２は、周囲溝（図示されていない）の基部の外径よりも大きい内径を有する環状要素７０８を有するものとして表現されている。
【００３０】
図７Ｅは、この例においては装飾品７１４用の２本突起状の支持構造７１２、７１５を有する本発明の典型的な実施形態の上面図を示す。
【００３１】
図８Ａは、第２周囲部分が開状態の典型的な実施形態８００の側面図であり、第１ヒンジ接合周囲部分８０２と、ヒンジ接合ジョイント８０４において回転可能に結合される第２ヒンジ接合周囲部分８０６とが表現されており、さらに、周囲溝８１６の基部の回りにスリップ装着される第２環状要素８０８を示している。
【００３２】
図８Ｂは開状態の斜視図であり、第１ヒンジ接合周囲部分８０２と、ヒンジ接合ジョイント８０４（図８Ａ参照）において回転可能に結合される第２ヒンジ接合周囲部分８０６とを表現しており、かつ、領域１９として強調される挟み締め留め金８２０と、挟み締め留め金８２０を捕捉するためのピン８２２であって、領域２０として強調されるアーチ形状の溝８２４の内部のピン８２２とを含んでいる。
【００３３】
図９Ａは挟み締め留め金９２０の典型的な実施形態の拡大図を示す。挟み締め留め金９２０は壁面９１０とコンフォーマルな関係にあり、挟み締め留め金は壁体９０２の下側に差し込まれている。
【００３４】
図９Ｂは、ピン９２２と、挟み締め留め金９２０（図示されていない）のロックおよび挟み締め留め金９２０の内側の環状要素部分９１６との同一平面状態を可能にするアーチ形状の溝９２４との拡大図を示す。
【００３５】
図９Ｃは、ロック位置に係合される前の外された状態のピン９２２および留め金９２０の立断面図９００を示す。
【００３６】
図９Ｄは、係合状態にあるピン９２２および留め金９２０の立断面図を示す。
【００３７】
図１０Ａは、環状要素アセンブリ１０００の典型的な実施形態を示す開状態の斜視図である。この典型的なリングアセンブリ１０００は、第１周囲部分１００２と、第２周囲部分１００６と、挟み締め留め金１０２０と、ピン１０２２と、環状の周囲溝１０１０と、第２の環状の周囲溝１０１６とを含む。第１環状要素部分１００２は、接線方向の湾曲した挟み締め留め金１０２０と、第２ピン１０２３を受け入れるための開口１０２６とを有するものとして表現されており、その挟み締め留め金および開口の位置において、第２周囲部分１００６が、挟み締め留め金１０２０と、ピン１０２２と、開口１０２６と、第２ピン１０２３とのロック機構を介して第１周囲部分１００２に回転可能に結合される。
【００３８】
図１０Ｂおよび１０Ｃは側立面図を示す。図１０Ｂは、開状態の前面側の環状要素アセンブリ１０００を表現しており、第１周囲部分１００２と、接線方向の湾曲した挟み締め留め金１０２０と、第２周囲部分１００６と、第１ピン１０２２とを示している。また、図１０Ｃの環状要素アセンブリ１０００は、開状態の環状要素アセンブリ１０００の背面側の側立面図を表現しており、未係合状態の開口１０２６および第２ピン１０２３を含んでいる。
【００３９】
図１０Ｄおよび１０Ｅは側立面図を示す。図１０Ｄは、開状態の前面側の環状要素アセンブリ１０００を表現しており、第１周囲部分１００２と、接線方向の湾曲した挟み締め留め金１０２０と、第２周囲部分１００６と、第１ピン１０２２とを示している。また、図１０Ｅの環状要素アセンブリ１０００は、開状態の環状要素アセンブリ１０００の背面側の側立面図を表現しており、未係合状態の開口１０２８および第２ピン１０２３を含んでいる。
【００４０】
図１０Ｆおよび１０Ｇは側立面図を示す。図１０Ｆは、閉状態の前面側の環状要素アセンブリ１０００を表現しており、接線方向の湾曲した挟み締め留め金１０２０を有する第１周囲部分１００２と、第２周囲部分１００６と、第１ピン１０２２とを示している。また、図１０Ｇのリングアセンブリ１０００は、閉状態の環状要素アセンブリ１０００の背面側の側立面図を表現しており、未係合状態の開口１０２６および第２ピン１０２３を含んでいる。
【００４１】
図１０Ｈおよび１０Ｉは側立面図を示す。図１０Ｈは、閉状態の前面側の環状要素アセンブリ１０００を表現しており、係合状態の接線方向の湾曲した挟み締め留め金１０２０を有する第１周囲部分１００２と、第２環状要素部分１００６と、係合状態の第１ピン１０２２とを示している。また、図１０Ｉの環状要素アセンブリ１０００は、閉状態の環状要素アセンブリ１０００の背面側の側立面図を表現しており、係合状態の開口１０２６および第２ピン１０２３を含んでいる。
【００４２】
図１１Ａは、環状要素アセンブリ１１００の典型的な実施形態の開状態の斜視図である。典型的な環状要素アセンブリ１１００は、第１周囲部分１１０２と、第２周囲部分１１０６と、垂直の挟み締め留め金１１２０と、第１ピン１１２２と、アーチ形状の溝１１２４と、開口１１２６、１１２７と、第２ピン１１２３と、環状の周囲溝１１１０と、第２の環状の周囲溝１１１６とを備えている。
【００４３】
図１１Ｂは、典型的な環状要素アセンブリ１１００の閉状態の図であり、係合締結された状態において開口１１２６、１１２７と一直線上に並ぶ典型的な垂直の挟み締め留め金１１２０と第２ピン１１２３とを示している。
【００４４】
図１１Ｃは閉位置におけるリングアセンブリ１１００の断面図であり、係合状態の挟み締め留め金１１２０およびピン１１２２の断面と、係合されたピン１１２３の断面とを示している。
【００４５】
図１２Ａは、接線方向の湾曲した非一体型挟み締め留め金１２２０の拡大図であって、環状要素アセンブリの実施形態のアーチ形状の溝１２２４内において内側の周囲部分１２１０上に装着された挟み締め留め金１２２０を示す。
【００４６】
図１２Ｂは典型的な接線方向の湾曲した非一体型挟み締め留め金１２２０を示す。
【００４７】
図１２Ｃは、開口１２２６およびピン１２２２を含む典型的な環状要素アセンブリ１２００である。
【００４８】
図１２Ｄは、接線方向の湾曲した複数個の挟み締め留め金のブランク２０２０の斜視図であって、周囲アセンブリ２０２０の代替的な実施形態から１つの留め金１２２０が取り外され、分解された状態を示す。
【００４９】
図１２Ｅは、垂直の複数個の挟み締め留め金のブランク２０２１の斜視図であって、環状要素アセンブリ２０２１の別の代替的な実施形態から１つの留め金１２２０が取り外され、分解された状態を示す。
【００５０】
図１３Ａは、環状要素アセンブリ１３００の典型的な実施形態の分解側面図である。典型的な環状要素アセンブリ１３００は第１環状要素部分１３０２を含む。第１周囲部分１３０２は、挟み締め留め金１３２０を受け入れるためのピン１３２３を有するように表現され、第２周囲部分１３０６は接線方向の湾曲した挟み締め留め金１３２０を含み、第２環状要素１３０８は支持構造１３１２および装飾品１３１４を備えている。
【００５１】
図１３Ｂは、閉状態のリングアセンブリ１３００の側立面図を示す。第１周囲部分１３０２は、係合状態の接線方向の湾曲した挟み締め留め金１３２０を有し、第２周囲部分１３０６は係合状態の第１ピン１３２３を示す。
【００５２】
図１３Ｃは、環状要素アセンブリ１３００の典型的な実施形態の閉状態の側断面図の拡大図である。環状要素アセンブリ１３００は、支持構造１３１２と、第１周囲部分１３０２と、第２周囲部分１３０６と、基部の周囲溝１３１０と、装飾品１３１４と、第２環状要素１３０８とを含む。
【００５３】
以上述べた実施形態の特定の特徴および態様の種々の組合せおよび／またはサブコンビネーションを作り出すことができ、それは本発明の範囲内に含まれることが考えられる。従って、開示された実施形態の種々の特徴および態様は、開示された本発明の変形モードを構成するために、互いに組合せまたは置き換え得ることが理解されるべきである。さらに、実施形態例として本明細書に開示した本発明の範囲は、以上に記述した特定の実施形態によって制限されるべきではないことが意図されている。
【図１】
2013514154.tif 000003
【図２Ａ】
2013514154.tif 000004
【図２Ｂ】
2013514154.tif 000005
【図３Ａ】
2013514154.tif 000006
【図３Ｂ】
2013514154.tif 000007
【図３Ｃ】
2013514154.tif 000008
【図３Ｄ】
2013514154.tif 000009
【図４Ａ】
2013514154.tif 000010
【図４Ｂ】
2013514154.tif 000011
【図４Ｃ】
2013514154.tif 000012
【図４Ｄ】
2013514154.tif 000013
【図４Ｅ】
2013514154.tif 000014
【図５Ａ】
2013514154.tif 000015
【図５Ｂ】
2013514154.tif 000016
【図６Ａ】
2013514154.tif 000017
【図６Ｂ】
2013514154.tif 000018
【図６Ｃ】
2013514154.tif 000019
【図６Ｄ】
2013514154.tif 000020
【図７Ａ】
2013514154.tif 000021
【図７Ｂ】
2013514154.tif 000022
【図７Ｃ】
2013514154.tif 000023
【図７Ｄ】
2013514154.tif 000024
【図７Ｅ】
2013514154.tif 000025
【図８Ａ】
2013514154.tif 000026
【図８Ｂ】
2013514154.tif 000027
【図９Ａ】
2013514154.tif 000028
【図９Ｂ】
2013514154.tif 000029
【図９Ｃ】
2013514154.tif 000030
【図９Ｄ】
2013514154.tif 000031
【図１０Ａ】
2013514154.tif 000032
【図１０Ｂ−１０Ｃ】
2013514154.tif 000033
【図１０Ｄ】
2013514154.tif 000034
【図１０Ｅ】
2013514154.tif 000035
【図１０Ｆ】
2013514154.tif 000036
【図１０Ｇ】
2013514154.tif 000037
【図１０Ｈ】
2013514154.tif 000038
【図１０Ｉ】
2013514154.tif 000039
【図１１Ａ】
2013514154.tif 000040
【図１１Ｂ】
2013514154.tif 000041
【図１１Ｃ】
2013514154.tif 000042
【図１２Ａ】
2013514154.tif 000043
【図１２Ｂ】
2013514154.tif 000044
【図１２Ｃ】
2013514154.tif 000045
【図１２Ｄ】
2013514154.tif 000046
【図１２Ｅ】
2013514154.tif 000047
【図１３Ａ】
2013514154.tif 000048
【図１３Ｂ】
2013514154.tif 000049
【図１３Ｃ】
2013514154.tif 000050
【国際調査報告】
2013514154.tif 000051
2013514154.tif 000052
2013514154.tif 000053